(57)【要約】      （修正有）【課題】  葺き上がり屋根面に段差がなく、かつ波状の外観を有するＪ型桟瓦からなる屋根瓦を提供する。【解決手段】  谷部３の登り傾斜部３ａに桟山部２の降り傾斜部２ａの端面２ｂの厚さと同等の厚さの凹陥部４を形成する重ね受け部５を設け、該重ね受け部５の上に桟山部２の端部２ｃを重ね合わせることで重ね部の段差を解消させ、葺き上がり屋根面はゆるやかな波形の外観を有することになる。また、重ね受け部１の延設端の堰部７の上面高さを谷部３の登り傾斜部３ａの角部高さより高く設置することで、漏水を防止できる構造とした。【選択図】  図３
2005061165.tif 000002
【特許請求の範囲】
【請求項１】
桟山部から下方湾曲する谷部を連続形成すると共に、谷部から上方に延設する傾斜部に凹陥部を形成する重ね受け部を連続形成して瓦本体とし、該重ね受け部の凹陥部深さを前記桟山部端面の厚さと同等に形成し、瓦葺設時に一方の瓦の桟山部を他方の瓦の重ね受け部に重合した時に谷部から上方に延設する登り傾斜部の上面と桟山部の降り傾斜部の上面とを同一傾斜方向に沿わせて且つ同面高さにして連設されることを特徴とする屋根瓦。
【請求項２】
傾斜部から凹陥部に至る角部を鋭角に形成し、凹陥部から重ね受け部に至る隅部を直角状に形成し、桟山部の端部を該隅部の形状に合致する形態にして、桟山部を重ね受け部に重合した時に楔状に突き合わせ連設されることを特徴とする請求項１の屋根瓦。
【請求項３】
重ね受け部の登り傾斜面に瓦本体の尻側から頭側に亘って水抜き水路を形成し、該水抜き水路の尻側端部に舌状の水返し部を形成すると共に水抜き水路の側端部に段状の堰部を形成し、且つ、桟山部を重ね受け部に重合した時に前記堰部の上面と桟山部の裏面との間に空隙を形成したことを特徴とする請求項１、２の屋根瓦。
【請求項４】
段状の堰部を階段状の複数段に形成し、その堰部上面の高さを傾斜部から凹陥部に至る角部の最右端の高さより高く設置したことを特徴とする請求項３の屋根瓦。
【請求項５】
桟山部の端部側下面にリブ状の鈎部を形成すると共に重ね受け部にリブ状の凸部を形成し、桟山部を重ね受け部に重合した時に前記鈎部が凸部に係合される形態にしたことを特徴とする請求項２の屋根瓦。
【請求項６】
瓦本体を平面視で方形状に形成し、尻側の端面は切欠きのない直線状に構成し、頭側は重ね受け部の部分のみを切欠いた頭側切欠部を形成したことを特徴とする請求項１、２若しくは３の屋根瓦。
【請求項７】
上方に位置する瓦の頭側の水垂れ部で遮蔽される相当部分における下方に位置する瓦の谷部の尻側上面に台地状の水侵入阻止部を凸状に構成したことを特徴とする請求項１、２若しくは３の屋根瓦。
【請求項８】
瓦本体の側面に袖部を一体連設するのに、該袖部の外面中程に頭部側が外方に膨出する段差部を形成すると共に、外面尻側に内方に向かうテーパー部を形成したことを特徴とする請求項１の屋根瓦。
【発明の詳細な説明】
【技術分野】
【０００１】
本発明は、葺設状態での耐風性に優れた屋根瓦に関する。
【背景技術】
【０００２】
従来、日本で一般的に使用されるＪ型桟瓦（ＪＩＳ規格での呼称）にあっては、桟山部から下方湾曲する谷部が連続形成されると共に、谷部から差込部が連続形成されており、隣接するもの同志を重ね合わせると共に、尻側を屋根下地に固定する様にしている。
これら背景技術の説明として、例えば下記の特許文献を例示する。
【特許文献１】特開２０００−１０４３８１公報「桟瓦」
【特許文献２】特開２０００−２６５６２２公報「平板瓦の・・・葺き合わせ構造」
【特許文献３】特開２００３−    ３６０９公報「桟瓦」
【発明の開示】
【発明が解決しようとする課題】
【０００３】
従来のＪ形屋根瓦では特許文献１に示すように桟山部６を隣の屋根瓦の谷部３の上に重ねながら順次葺いていくと重ね部において桟山部６の端面が段差となり、外観上の見栄えが悪い劣るという問題があった。また、その段差から風雨が侵入しやすいという問題があった。
このため、この段差を解消するために特許文献２のような平板瓦タイプのものが多く提案されてきているがＪ型桟瓦タイプのものでは実用化されていない現状にある。
最近、特許文献３に示されるように、段差部を解消する形態のものが提案されているが構造が複雑でコストが高く瓦の葺設に手間が掛かる等の解決課題を有する恐れがあり未だ改善の余地が残されているものである。
【課題を解決するための手段】
【０００４】
本発明の解決手段は、第一に、桟山部から下方湾曲する谷部を連続形成すると共に、谷部から上方に延設する傾斜部に凹陥部を形成する重ね受け部を連続形成して瓦本体とし、該重ね受け部の凹陥部深さを前記桟山部端面の厚さと同等に形成し、瓦葺設時に一方の瓦の桟山部を他方の瓦の重ね受け部に重合した時に谷部から上方に延設する登り傾斜部の上面と桟山部の降り傾斜部の上面とを同一傾斜方向に沿わせて且つ同面高さにして連設されることを特徴として、強風によっても瓦の桟山部端面を浮き上がらせない様にして、強風大雨時等の風雨の飛沫侵入を防止でき、且つ瓦の連設構成を違和感なく構成簡単にして葺設作業を効率良く遂行できる。第二に、傾斜部から凹陥部に至る角部を鋭角に形成し、凹陥部から重ね受け部に至る隅部を直角状に形成し、桟山部の端部を該隅部の形状に合致する形態にして、桟山部を重ね受け部に重合した時に楔状に突き合わせ連設されることを特徴とし、波形状に連設される屋根瓦の連設構造を簡単にしてガタつきなく安定良くして敷設できる。第三に、重ね受け部の登り傾斜面に瓦本体の尻側から頭側に亘って水抜き水路を形成し、該水抜き水路の尻側端部に舌状の水返し部を形成すると共に水抜き水路の側端部に段状の堰部を形成し、且つ、桟山部を重ね受け部に重合した時に前記堰部の上面と桟山部の裏面との間に空隙を形成したことを特徴として、連設部の合わせ目部分を伝って不測に侵入してくる漏水を水抜き水路と堰部により確実に誘導排出して屋根下地材への悪影響を阻止する。さらに第四として、段状の堰部を階段状の複数段に形成し、その堰部上面の高さを傾斜部から凹陥部に至る角部の最右端の高さより高く設置したことを特徴とし、漏水の水抜き水路への誘導排出をより確実にする。
【０００５】
また第五として、桟山部の端部側下面にリブ状の鈎部を形成すると共に重ね受け部にリブ状の凸部を形成し、桟山部を重ね受け部に重合した時に前記鈎部が凸部に係合される形態にしたことを特徴とし、瓦の葺設時の横ずれを阻止できる。第六に、瓦本体を平面視で方形状に形成し、尻側の端面は切欠きのない直線状に構成し、頭側は重ね受け部の部分のみを切欠いた頭側切欠部を形成したことを特徴とし、瓦の敷設作業が効率良く無駄なく遂行できる。第七に、上方に位置する瓦の頭側の水垂れ部で遮蔽される相当部分における下方に位置する瓦の谷部の尻側上面に台地状の水侵入阻止部を凸状に構成したことを特徴として水垂れ部下方への水の侵入を阻止する。そして、第八に、瓦本体の側面に袖部を一体連設するのに、該袖部の外面中程に頭部側が外方に膨出する段差部を形成すると共に、外面尻側に内方に向かうテーパー部を形成したことを特徴とし、瓦の敷設作業が更に効率良く無駄なく遂行できる。
【発明の効果】
【０００６】
上記の解決手段により本発明は、瓦葺設時に一方の瓦の桟山部を他方の瓦の重ね受け部に重合して順次葺いていくと、桟山部端面が同等の厚さを持つ重ね受け部の凹陥部に組み合わせられ、段差がなくなり葺き上がり屋根面にゆるやかな波状の外観が生まれる。
段差を解消したことで、そこからの風雨による飛沫の侵入を可及的に少なくして防止できる。また、重ね受け部はその延設端部の堰高さを谷部の角部の高さより高く設置したことで、屋根地材への漏水を防止できる。
さらに、重ね受け部と桟山部が組み合わされることで屋根瓦の横ずれを防止できる。併せて、従来のＪ形屋根瓦の尻側切込みを廃止することで尻側から頭側に至る流れ方向の寸法Ｌの間で瓦割付寸法が自在に調整でき、半裁瓦が不要になり瓦の敷設作業効率が向上するという効果も得られる。
【発明を実施するための最良の形態】
【０００７】
本発明の屋根瓦の実施形態を図面に基づき説明する。図１に示すように、瓦本体１にあっては、陶磁器製にして一側方に降り傾斜部２ａを有して上方湾曲する桟山部２を形成すると共に、該桟山部２から他側方に連続して桟山部２より曲率半径が大きい谷部３を下方湾曲形成し、該谷部３の他側方に上方に延設する登り傾斜部３ａに凹陥部４を形成する重ね受け部５を連続形成して瓦本体１とする。そして、該重ね受け部５の凹陥部深さを前記桟山部端面２ｂの厚さと同等に形成し、図４に示すように瓦葺設時に一方の瓦の桟山部２を他方の瓦の重ね受け部５に重合した時に谷部３から上方に延設する登り傾斜部３ａの上面と桟山部２の降り傾斜部２ａの上面とを同一傾斜方向に沿わせて且つ同面高さにして連設されるように構成する。さらに、前記登り傾斜部３ａから凹陥部４に至る角部３ｂを鋭角に形成し、凹陥部４から重ね受け部５に至る隅部を直角状に形成し、桟山部２の端部２ｃを該隅部の形状に合致する形態にして、桟山部２を重ね受け部５に重合した時に楔状に突き合わせ連設される構成とする。
【０００８】
重ね受け部５の登り傾斜面に瓦本体１の尻側１ａから頭側１ｂに亘って水抜き水路６を形成し、該水抜き水路６の尻側端部に舌状の水返し部６ａを形成すると共に水抜き水路６の側端部に段状の堰部７を形成し、且つ、桟山部２を重ね受け部５に重合した時に前記堰部７の上面７ａと桟山部２の裏面２ｄとの間に空隙８を存在させる。
図３に示すように、前記段状の堰部７は階段状の複数段に形成し、該堰部７上面７ａの高さを傾斜部から凹陥部に至る角部３ｂの高さより高く設置されている。
該瓦本体１は平面視で方形状に形成されており、尻側１ａの端面は切欠きのない直線状に構成されており、頭側１ｂは重ね受け部５の部分のみを切欠いた頭側切欠部９を形成され、瓦の葺設時に頭側１ｂに位置する縁状の水垂れ部１０が該頭側切欠部９に位置するようにされている。また、瓦本体１の谷部３の尻側１ａ上面に台地状の水侵入阻止部１１を凸状に構成し、谷部３の最底部相当位置を平面視で下方に先鋭した舳先状１２にして、これにより上方に位置する瓦本体１の頭側１ｂの水垂れ部１０で遮蔽される相当部分に水侵入阻止部１１を位置させて舳先状形態の形状と相まって水垂れ部１０下方から上方への水の逆流侵入を阻止する。尚、尻側１ａの端面には脚部１３、１３が突設されており、瓦本体１の桟山部２を重ね受け部５にを重合した時に尻側１ａの端面が脚部１３、１３で安定支持されている。１４、１４は屋根下地材の桟木に止める釘孔である。
【０００９】
図９〜１１は、袖瓦の形態を示したもので、瓦本体１５の側面に袖部１６を一体連設するのに、該袖部１６の外面中程に頭部１ｂ側が外方に膨出する段差部１７を形成すると共に、外面尻側１ａに内方に向かうテーパー部１８を形成し、段差部１７の内側にテーパー部１９が形成されてなり、前記に説明したように従来のＪ形屋根瓦の尻側１ａ切込みを廃止することで尻側１ａから頭側１ｂに至る流れ方向の寸法Ｌの間で瓦割付寸法が自在に調整でき、従来棟近くで必須とされていた半裁瓦が不要になり瓦の葺設作業効率が向上するという効果も得られる。
【００１０】
図１２、１３は他の実施形態を示すもので、桟山部２の端部側下面２ｃを上方に窪ませてリブ状の鈎部２０を形成すると共に重ね受け部５にリブ状の凸部２１を形成し、桟山部２を重ね受け部５に重合した時に前記鈎部２０が凸部２１に係合される形態にして、瓦の葺設時の横ずれを阻止できる。
【００１１】
上記の構成により、瓦本体１の桟山部２の降り傾斜部２ａを谷部３の登り傾斜部３ａに延設した重ね受け部５に重ね合わせて、順次瓦本体１を屋根に葺いていく。そうすると桟山部２の端面２ｂが重ね受け部５の凹陥部４に組み合わされ、段差が解消できた状態で葺設される。そのために、強風によっても瓦の桟山部端面２ｂを浮き上がらせない様にして、強風大雨時等の風雨の飛沫侵入を防止でき、且つ瓦の連設構成を波形状に連続させて違和感なく構成簡単にして葺設作業を効率良く遂行できる。波形状に連設される屋根瓦の連設構造を簡単にして且つ重合部４、５と脚部１３、１３の三点支持構成でガタつきなく安定良くして敷設できる。
【００１２】
重合部の合わせ目部分を伝って不測に侵入してくる漏水を水抜き水路６と堰部７により確実に水抜き水路６を通して下方に誘導排出して屋根下地材への悪影響を阻止する。
この時本発明では、段状の堰部７が階段状の複数段に形成され、該堰部７上面７ａの高さを傾斜部から凹陥部に至る角部３ｂの高さより高く設置されていて、重合部の合わせ目から侵入する飛沫等を堰部７で堰止めることが確実にできる。また、桟山部２を重ね受け部５に重合した時に前記堰部７の上面７ａと桟山部２の裏面２ｄとの間に空隙８を存在させることで、漏水が表面張力等で屋根下地材側へ引きずり込まれることを防止できる。
漏水の水抜き水路への誘導排出をより確実にする。
【００１３】
葺き上がり屋根面は、従来のＪ形桟瓦の優美な曲線を持つ連続したゆるやかな波形の外観となる。同時に桟山部の端部が重ね受け部の凹部に組み合わされることで、横ずれのない強固な葺き上がりとなる。さらに流れ方向の寸法Ｌの間で瓦割付寸法が自在に調整でき、従来棟付近で調整使用していた半裁瓦が不要になる。
【図面の簡単な説明】
【００１４】
【図１】本発明の屋根瓦の葺設状況を示す斜視図である。
【図２】屋根瓦の葺設状況を示す正面図である。
【図３】屋根瓦の重合前の状態を示す要部の拡大正面図である。
【図４】屋根瓦の重合後の状態を示す要部の拡大正面図である。
【図５】瓦本体を裏返して示す背面図である。
【図６】瓦本体の要部側面図である。
【図７】瓦本体の平面図である。
【図８】瓦本体の正面図である。
【図９】袖瓦と瓦本体の葺設状況を示す正面図である。
【図１０】図９の側面図である。
【図１１】図９の要部を一部断面して示す底面図である。
【図１２】他の実施形態の屋根瓦の重合前の状態を示す要部の拡大正面図である。
【図１３】他の実施形態の屋根瓦の重合後の状態を示す要部の拡大正面図である。
【符号の説明】
【００１５】
１  瓦本体
２  桟山部
２ａ  降り傾斜部
３  谷部
３ａ  登り傾斜部
４  凹陥部
５  重ね受け部
６  水抜き水路
７  堰部
８  空隙
９  頭側切欠部
１０  水垂れ部
１１  水侵入阻止部
１３  脚部
Ｌ  寸法調整範囲
【図１】
2005061165.tif 000003
【図２】
2005061165.tif 000004
【図３】
2005061165.tif 000005
【図４】
2005061165.tif 000006
【図５】
2005061165.tif 000007
【図６】
2005061165.tif 000008
【図７】
2005061165.tif 000009
【図８】
2005061165.tif 000010
【図９】
2005061165.tif 000011
【図１０】
2005061165.tif 000012
【図１１】
2005061165.tif 000013
【図１２】
2005061165.tif 000014
【図１３】
2005061165.tif 000015